(57)【要約】【課題】リモコン上のセンサ位置が目立たない、リモコン及び照明装置を提供することにある。【解決手段】ライトを遠隔操作するリモコン５であって、センサ部１９１、１９２と、遠隔操作に関する情報が表示される表示部１５０と、センサ部１９１、１９２を被覆する第１の領域１１３と表示部１５０を被覆する第２の領域１１２を有するパネル板１１０とを備え、第１の領域１１３は第２の領域１１２に対して、視認性が低くなるように構成されている。【選択図】図８
2016219929.tif 000002
【特許請求の範囲】
【請求項１】
ライトを遠隔操作するリモコンであって、
センサ部と、
前記遠隔操作に関する情報が表示される表示部と、
前記センサ部を被覆する第１の領域と前記表示部を被覆する第２の領域を有するパネル部とを備え、
前記第１の領域は前記第２の領域に対して視認性が低くなるように構成されている
リモコン。
【請求項２】
前記第１の領域は、前記センサ部と同系色に着色されている
請求項１に記載のリモコン。
【請求項３】
前記センサ部は赤外線センサであり、
前記第１の領域は赤外線を通過させる染料で着色されている
請求項１または２に記載のリモコン。
【請求項４】
前記センサ部は赤外線センサであり、
前記第１の領域は赤外線を通過させるフィルムで被覆されている
請求項１または２に記載のリモコン。
【請求項５】
前記センサ部は、受信センサ部および送信センサ部の少なくとも一方である
請求項１〜４のいずれか一項に記載のリモコン。
【請求項６】
ライトと前記ライトを遠隔操作するリモコンとを備える照明装置であって、
前記リモコンは請求項１〜５のいずれか一項に記載のリモコンである
照明装置。
【発明の詳細な説明】
【技術分野】
【０００１】
本発明は、ライトを遠隔操作するリモコン（リモートコントローラ）、及び前記ライトと前記リモコンとを備えた照明装置に関する。
【背景技術】
【０００２】
近年、環境意識の高まりから、省電力化に優れたＬＥＤの光源への使用が普及してきた。更に最近は、天井直付け型のシーリングライト（以下、単に「シーリングライト」ともいう。）や、天井面から吊り下げられて室内を照らす吊下げ型のペンダントライトにおいても、ＬＥＤを使用した装置が開発され、市場に導入されてきている。
【０００３】
このような装置において、点灯や消灯等の操作は壁スイッチで行われる他、赤外線を利用したリモコンで行うものがある（例えば、特許文献１、２等参照）。
【０００４】
しかしながら、特許文献１、２等に記載の従来のリモコンは、センサ部が外部に露出している等の理由により、リモコン上のセンサ位置が目立つという問題があった。
【先行技術文献】
【特許文献】
【０００５】
【特許文献１】特開２０１２−５９４７４号公報（特許第５６１０２８２号公報）
【特許文献２】特開２０１３−２２５５２９号公報（特許第５４１６８５８号公報）
【発明の概要】
【発明が解決しようとする課題】
【０００６】
本発明は、上記の課題に鑑み、リモコン上のセンサ位置が目立たない、リモコン及び照明装置を提供することにある。
【課題を解決するための手段】
【０００７】
本発明の一態様に係るリモコンは、ライトを遠隔操作するリモコンであって、センサ部と、前記センサ部の被覆領域を有するパネル部とを備え、前記被覆領域は、視認性が低くなるように構成されている。
【発明の効果】
【０００８】
上記構成によれば、センサ部が被覆領域を有するパネル部に覆われているため、視認性が低く、センサ部が外部から目立たなくなる。
【図面の簡単な説明】
【０００９】
【図１】実施形態の照明装置の外観斜視図である。
【図２】実施形態の照明装置の断面図である。
【図３】実施形態の照明装置の分解斜視図である。
【図４】実施形態のライト本体の保護カバーを一部外した状態を前方から見た図である。
【図５】実施形態の光源部の一部を前方から見た拡大図である。
【図６】実施形態のセンターカバーの斜視図である。
【図７】実施形態のリモコンの斜視図である。
【図８】実施形態のリモコンの分解斜視図である。
【図９】実施形態の接着シートの斜視図である。
【図１０】実施形態の第２ケースの裏面を示す斜視図である。
【図１１】実施形態の電池カバーを取り外した状態の電池ホルダー部を示す正面図である。
【図１２】実施形態の基板上に搭載される液晶表示部、操作ボタン、コネクタの分解した状態を示す正面図である。
【図１３】（Ａ）は実施形態の基板の裏面の一部を示す正面図、（Ｂ）は第２ケースの裏面の一部を示す正面図である。
【図１４】実施形態の操作ボタンの斜視図である。
【図１５】実施形態のゴムシートの裏面を示す斜視図である。
【図１６】実施形態の液晶表示部の構成を示す断面模式図である。
【発明を実施するための形態】
【００１０】
＜概要＞
本発明の一態様に係るリモコンは、ライトを遠隔操作するリモコンであって、センサ部と、前記遠隔操作に関する情報が表示される表示部と、前記センサ部を被覆する第１の領域と前記表示部を被覆する第２の領域を有するパネル部とを備え、前記第１の領域は前記第２の領域に対して視認性が低くなるように構成されている。
他の一態様に係るリモコンにおいて、前記第１の領域は、前記センサ部と同系色に着色されている。
他の一態様に係るリモコンにおいて、前記センサ部は赤外線センサであり、前記第１の領域は赤外線を通過させる染料で着色されている。
他の一態様に係るリモコンにおいて、前記センサ部は赤外線センサであり、前記第１の領域は赤外線を通過させるフィルムで被覆されている。
他の一態様に係るリモコンにおいて、前記センサ部は、受信センサ部および送信センサ部の少なくとも一方である。
また、別の態様に係る照明装置は、ライトと前記ライトを遠隔操作するリモコンとを備えるであって、前記リモコンは本発明の一態様に係るリモコンである。
【００１１】
＜実施形態＞
以下に本発明の一態様である照明装置について、図面を参照しながら詳細に説明する。
ここでは、シーリングライトである照明装置を一例として説明する。言うまでもなく壁に設置される壁掛式の照明装置や、細長い形状の照明装置等にも本発明は適用できる。
【００１２】
１．照明装置
照明装置１は、図１に示すように、シーリングライト３とリモコン５とを有する。シーリングライト３は、壁等に設けられたスイッチ（図示省略）の操作により点灯及び消灯する他、リモコン５の操作によっても点灯及び消灯する。
シーリングライト３は、調光機能、調色機能、タイマー機能、消費電力算出機能等の各種の機能を有し、リモコン５からの信号により調光したり、調色したりする他、リモコン５からの信号により算出した消費電力をリモコンに送信する。
以下、シーリングライト３及びリモコン５について説明する。
【００１３】
２．シーリングライト
シーリングライト３について、図１から図６を用いて説明する。ここでは図１〜図３を主に用いる。
シーリングライト３は天井等の設置面７に取り付けられて使用される。シーリングライト３は、ライト本体１１と、ライト本体１１に着脱自在に装着される透光性カバー１３とで構成されている。透光性カバー１３はライト本体１１における設置面７と反対側を覆う。なお、シーリングライト３から光が出射される側を、表側、前側とする。
ライト本体１１は設置面７の被取付部材９にアダプタ１５を介して付け外し自在に取り付けられる。この後、透光性カバー１３をライト本体１１に装着することで、シーリングライト３が設置面７に取り付けられる。
被取付部材９として例えばロゼット、引掛けシーリング等がある。アダプタ１５は被取付部材９に着脱自在に取り付けられる。
【００１４】
（１）ライト本体
ライト本体１１について、主に図３及び図４を用いて説明する。
ライト本体１１は、複数のＬＥＤ２１から構成される光源部２３、光源部２３を点灯させるための回路部２５、中央に開口２６を有し開口２６の周りに光源部２３を搭載する搭載部２７、アダプタ１５に付け外し自在に取り付けられる取付部２９、透光性カバー１３を取り付けるためのカバー取付部３１、リモコン５と通信するための通信部とを少なくとも有している。
ライト本体１１は、上記構成以外に、例えば、光源部２３を覆う光源カバー部３３、回路部２５を収容する回路収容部３５、搭載部２７の開口２６を覆うセンタカバー部３７を有してもよい。
以下、各部について説明する。
【００１５】
（１−１）光源部
光源部２３について、主に図３〜図５を用いて説明する。
光源部２３は、複数個のＬＥＤ２１と、複数個のＬＥＤ２１を実装するための１枚又は複数枚（ここでは８枚である。）の実装基板４１とを有する。複数個のＬＥＤ２１は、光色が異なる複数種類が用いられている。ここでは、複数個のＬＥＤ２１は、昼光色と電球色の２種類からなり、異なる給電路で電力が給電される。
複数枚の実装基板４１は中央が開口するように環状に配され、周方向に隣接する実装基板４１はリード線４２により接続される。
【００１６】
（１−２）回路部
回路部２５について、主に図３及び図４を用いて説明する。
回路部２５は、複数個の電子部品４３，４５と、複数個の電子部品４３，４５が実装される１枚又は複数枚（ここでは１枚である。）の回路基板４７とを有する。なお、便宜上、複数個の電子部品のうち、２個の電子部品に符号「４３」、「４５」を付している。複数個の電子部品４３，４５により、例えば、整流回路、平滑回路、電圧変換回路、調光回路、調色回路等が構成される。また、リモコン５からの信号により光源部２３の点灯を制御したり、消費電力を算出したり、算出した消費電力のリモコン５への送信を指示したり等する制御回路が回路基板４７に実装されている。回路基板４７が回路収容部３５に取り付けられ、回路収容部３５が搭載部２７の裏面側に取り付けられる。
【００１７】
（１−３）搭載部
搭載部２７について、主に図２及び図４を用いて説明する。
搭載部２７は中央に開口２６を有する板状のベース部材により構成される。開口２６にはアダプタ１５が嵌合する。ここでの搭載部２７の概観形状は床側（表側）から見たときに円形状をしているが、例えば外観形状が正方形、長方形等の他の形状であってもよい。
搭載部２７の表面には、開口２６が存在する内側から外側に向けて、光源部２３を搭載するための光源部搭載領域、光源カバー部３３を取り付けるための光源カバー取付領域、カバー取付部３１を搭載するためのカバー取付部搭載領域が設けられている。搭載部２７の裏面における開口２６の周辺部には取付部２９を搭載するための取付部搭載領域が設けられている。
【００１８】
（１−４）取付部
取付部２９について、主に図２及び図３を用いて説明する。
取付部２９は底壁に開口を有する有底筒状をしている。筒壁の前端が搭載部２７に当接し且つ底壁の裏面が回路収容部３５に当接する状態で取付部２９の開口の周辺部が回路収容部３５に固定される。取付部２９のアダプタ１５への取り付けは、アダプタ１５の係止爪１５ａが取付部２９の底壁の表面であって開口の周辺部に係合することで行われる。
【００１９】
（１−５）カバー取付部
カバー取付部３１について、主に図４を用いて説明する。
カバー取付部３１は複数個（ここでは３個である。）あり、搭載部２７の表面であって光源カバー部３３の外側を周方向に間隔をおいて複数個所に設けられている。カバー取付部３１は、後述の後カバー７１の後端部を搭載部２７の表面に当接させた状態で搭載部２７の開口２６を中心として後カバー７１を所定方向に回転させたときに、後カバー７１の係合凸部８１（図３参照）が挿入して係合する係合凹部を有している。
【００２０】
（１−６）光源カバー部
光源カバー部３３について、主に図３及び図４を用いて説明する。
光源カバー部３３は光源部２３を表側から覆う。光源カバー部３３は複数個のカバー体５１からなる。カバー体５１は、４個あり、表側から見たときに円環を１／４にしたような形状をしている。カバー体５１は横断面において中央部が張り出すドーム状をしている。カバー体５１の外周部分が搭載部２７の光源カバー取付領域に取り付けられる。
【００２１】
（１−７）回路収容部
回路収容部３５について、主に図３を用いて説明する。
回路収容部３５は、偏平な有底筒状をし、底壁に開口５３を有している。底壁の表面（内面）に回路基板４７が取り付けられ、開口５３の周辺部に取付部２９が取り付けられる。回路収容部３５は筒壁の前端に外鍔部５４を有し、当該外鍔部５４が搭載部２７に固定される。
【００２２】
（１−８）センタカバー部
センタカバー部３７について、主に図４及び図６を用いて説明する。
センタカバー部３７は、搭載部２７の開口２６を覆うように、搭載部２７の開口２６周辺部に取り付けられる。センタカバー部３７は、筒部５５と、筒部５５の前端開口を開閉自在に閉じる蓋部５７とを有している。ライト本体１１をアダプタ１５に取り付ける際には蓋部５７を開状態にして行われる。なお、蓋部５７には、常夜灯５９、リモコン５へ信号（消費電力）を送信するための送信素子６１、リモコン５との通信チャンネルを切り替えるためのチャンネル６３が設けられている。
【００２３】
（１−９）通信部
通信部について、主に図５及び図６を用いて説明する。
通信部は、リモコン５へ信号を送信する送信素子６１と、リモコン５からの信号を受信する受信素子６７とを有している。
送信素子６１は、上述のように、センタカバー部３７の蓋部５７に設けられている。受信素子６７は、光源部２３の実装基板４１の１つに設けられている。受信素子６７が設けられる実装基板４１は、回路部２５からのケーブルに接続するためのコネクタ６６，６８が設けられている基板である。
【００２４】
（２）透光性カバー
透光性カバー１３は、図３に示すように、ライト本体１１に取り付けられる後カバー７１と、後カバー７１に付け外し自在に取り付けられる前カバー７３とを有する。
【００２５】
（２−１）後カバー
後カバー７１は環状をしている。ここでは、円板状の搭載部２７に対応して円環状をしている。後カバー７１は、円環状の平坦部７５と、平坦部７５の外周縁から後方へと延伸する外筒部７７と、平坦部７５の内周縁から後方へと延伸する内筒部７９とを有している。
内筒部７９の後端縁には周方向に間隔を置いて円環の中心に向かって張り出する係合凸部８１が設けられている。後カバー７１の内筒部７９には前カバー７３の筒状部８７の後端部分が嵌合する嵌合溝８３と前カバー７３の係合凸部９５が係合する係合凹部８４とを有している。
後カバー７１は透明な透光性材料から構成されている。平坦部７５は光を拡散させるダイヤカット模様を裏面に有する。
【００２６】
（２−２）前カバー
前カバー７３は、中心に開口を有するドーム状部８５と筒状部８７とからなる第１カバー体８９と、第１カバー体８９の中央に配される第２カバー体９１と、第１カバー体８９と第２カバー体９１との間に介在する第３カバー体９３とを有している。
第１カバー体８９と第２カバー体９１は、透光性材料樹脂に拡散剤（例えば、シリコーン粒子）が混入されてなる、所謂乳白色カバーである。
第３カバー体９３は透明な透光性材料から構成され、裏面が光を拡散させるダイヤカット面となっている。
第１カバー体８９の筒状部８７には外側に突出する係合凸部９５を有し、当該係合凸部９５が後カバー７１の係合凹部８４と係合する。
【００２７】
３．リモコン
リモコン５について、図７から図１６を用いて説明する。ここでは図７及び図８を主に用いて説明する
リモコン５は、パネル板１１０と、長尺状の筐体１０１と、基板１４０と、送信センサ部１９１（１９１ａ、１９１ｂ）と、受信センサ部１９２と、液晶表示部１５０と、複数の操作ボタン１６０とを備えている。
送信センサ部１９１及び受信センサ部１９２は、リモコン５の長手方向一端側に設けられ、送信センサ部１９１及び受信センサ部１９２が設けられた側を長手方向の先端側、上側として説明する。長手方向の後側（手前側）から先端側を見たときに右側、左側とする。また、操作ボタン１６０等を操作する側を表面、その反対側を裏面とする。
以下、各部について説明する。
【００２８】
（１）パネル板
パネル板１１０について、主に図７及び図８を用いて説明する。
パネル板１１０は薄板状であり、第１ケース１２０のパネル板搭載領域１２１に搭載される。パネル板１１０は、センサ被覆部１１３（１１３ａ、１１３ｂ）を有する。パネル板１１０は、上記センサ被覆部１１３以外に、例えば、表示窓部１１２や、複数の操作ボタン用開口部１１５（図では８個である。）を有してもよい。
【００２９】
（１−１）表示窓部
表示窓部１１２は、液晶表示部１５０に表示される文字等を視認できるように透明材料で構成されており、かつ液晶表示部１５０を保護する役割を果たしている。表示窓部１１２は、通常、パネル板１１０と同一材料にて構成されている。パネル板１１０は、ポリカーボネイト（ＰＣ）等の透明材料（合成樹脂）により構成されているため、表示窓部１１２も透明である。
【００３０】
（１−２）センサ被覆部
センサ被覆部１１３は、センサ被覆部１１３ａとセンサ被覆部１１３ｂとからなる。センサ被覆部１１３ａは、基板１４０上に搭載された送信センサ部１９１aの被覆領域に設けられている。センサ被覆部１１３ｂは、基板１４０上に搭載された受信センサ部１９２の被覆領域に設けられている。
センサ被覆部１１３ａは、シーリングライト３からの信号を送信センサ部１９１aが送信できるように、赤外線を透過させる材料で構成されている。センサ被覆部１１３ｂは、受信センサ部１９２からの信号がシーリングライト３に受信できるように、赤外線を透過させる材料で構成されている。また、パネル板１１０も赤外線を透過させる材料で構成されている。
センサ被覆部１１３は、パネル板１１０の表面もしくは裏面のセンサ被覆領域に、赤外線を透過させる材料（染料、顔料等）を着色するか、もしくは赤外線を透過させるフィルム等を貼り付ける等の手法により構成される。
赤外線を透過させる材料（染料、顔料等）としては、例えば、CANEC１３２０２６４６０５（SHENZHEN  MEILIHUA  INK  ＆  COATING  ．，LTD）等が使用される。また、赤外線を透過させるフィルムとしては、前記染料等をフィルム化したものが使用される。
センサ被覆部１１３は、パネル板１１０の表面もしくは裏面のいずれに形成してもよいが、剥がれ難さ等の点から、裏面が好ましい。
センサ被覆部１１３は、送信センサ部１９１a及び受信センサ部１９２と同系色に着色されている。これにより、リモコン５の外部から送信センサ部１９１a及び受信センサ部１９２は視認されにくい構成となっている。
なお、パネル板１１０自体を視認されにくい構成の赤外線を透過させる材料で形成した場合には、赤外線を透過させる材料（染料、顔料等）の着色やフィルムの貼り付け等は特に必要でない。
【００３１】
ここでは、センサ被覆部１１３（１１３ａ、１１３ｂ）は上方から見たときに円形状をしている。これにより、剥がれ難くなる。また、送信センサ部１９１a及び受信センサ部１９２は、上方から見たときに円形状をしており、センサ被覆部１１３（１１３ａ、１１３ｂ）もこれに対応した形状となっている。これにより、センサ被覆部１１３の形成材料の使用量を少なくできる。
【００３２】
（２）筐体
筐体１０１は長尺状の箱状をしている。筐体１０１は箱を２分する第１ケース１２０と第２ケース１３０とから構成される。本例では、箱を上下に２分し、第１ケース１２０が上側に位置している。
第１ケース１２０は、表面上側のパネル板搭載領域１２１と、表面下側の操作ボタン部側１２７とが段差になっている。具体的には、パネル板搭載領域１２１は操作ボタン部側１２７よりも高い段差構造となっている。また、第２ケース１３０は、表面下側の電池ホルダー部側１３１と、表面上側１３３とが段差になっている。具体的には、電池ホルダー部側１３１は表面上側１３３よりも高い段差構造となっている。このような筐体１０１の段差構造により、リモコン５が持ち易く、各種操作ボタン１６０の操作性等が向上する。
【００３３】
（２−１）第１ケース
第１ケース１２０について、主に図７及び図８を用いて説明する。
第１ケース１２０は、筐体１０１を構成する表面側のケースである。第１ケース１２０は、１個の液晶表示部用開口部１２２と、センサ部用開口部１２３（１２３ａ、１２３ｂ）と、複数の操作ボタン用開口部１２５とを有する。第１ケース１２０は、上側のパネル板搭載領域１２１と、下側の操作ボタン部側１２７とが段差になっている。具体的には、パネル板搭載領域１２１は操作ボタン部側１２７よりも高い段差構造となっており、これにより各種操作ボタン１６０の操作性等が向上する。
【００３４】
第１ケース１２０のパネル板搭載領域１２１には、例えば、図９に示す接着シート１７０等を介して、パネル板１１０が接着されている。なお、接着シート１７０には、対応する液晶表示部１５０、センサ部（１９１a、１９２）、操作ボタン１６０に接着剤が付着しないよう、液晶表示部用開口部１７１、センサ部用開口部１７３（１７３ａ、１７３ｂ）、操作ボタン用開口部１７５が形成されている。
【００３５】
（２−２）第２ケース
第２ケース１３０について、主に図７、図８、図１０、図１１、図１３を用いて説明する。
第２ケース１３０は、筐体１０１を構成する裏面のケースである。第２ケース１３０は、表面下側の電池ホルダー部側１３１と、表面上側１３３とが段差になっている。具体的には、電池ホルダー部側１３１は表面上側１３３よりも高い段差構造となっており、これによりリモコン５を持ち易く、操作性等が向上する。
【００３６】
（２−３）電池ホルダー部
電池ホルダー部１８０について、主に図８、図１０、図１１、図１３を用いて説明する。
電池ホルダー部１８０は、第２ケース１３０の裏面の長手方向下側に設けられる。電池ホルダー部１８０は、電池を収容する電池収容部１８２を有し、左右１本ずつ単電池（単四電池等）を収容する。
電池収容部１８２の長手方向の上側及び下側には、単電池の電極端子（正極端子、負極端子）と接続される接続端子挿入用の開口部１８３が複数個（ここでは、４個（１８３a、１８３ｂ、１８３ｃ、１８３ｄ）である。）設けられている。
また、電池収容部１８２の対角上の隅部には、電池のずれ等を防止するための電池固定部材１８４が設けられている。ここでは、電池固定部材１８４は突起状をしている。
電池ホルダー部１８０の開口は、電池カバー１８１で覆われている。電池カバー１８１の長手方向の一端側（ここでは先端部である。）には係止爪部１８５が設けられている。
電池ホルダー部１８０の長手方向の上側には、電池カバー１８１の係止爪部１８５と係合する係止孔１８６が複数個（ここでは、２個である。）設けられている。また、右側にある係止孔１８６の右側には、後述するチャンネル１４９挿入用の開口部１８７が設けられている。
【００３７】
（３）基板
基板１４０について、主に図８、図１２、図１３を用いて説明する。
基板１４０は第１ケース１２０と第２ケース１３０との間に収容されている。基板１４０の先端部左側には送信センサ部１９１ａが、先端部中央には送信センサ部１９１ｂが、先端部右側には受信センサ部１９２が、それぞれ搭載されている。
基板１４０の上側の液晶表示部搭載領域１４４には、液晶表示部１５０が搭載される。液晶表示部搭載領域１４４の上下２か所には液晶接続端子１４５が設けられ、コネクタ１９０（例えば、ゼブラコネクタ）を介して、液晶表示部１５０と接続される。基板１４０の中央部及び下側には、複数の操作ボタン用端子１４６が設けられている。
【００３８】
基板１４０の裏面には、接続端子１４７（１４７ａ、１４７ｂ）、コンデンサ１４８等の電子部品、送信センサ部１９１、受信センサ部１９２の信号の通信チャンネルを切り替えるためのチャンネル１４９が搭載されている。
接続端子１４７ａは、電池ホルダー部１８０内の開口部１８３ｃと対応する位置に配置され、接続端子１４７ｂは、電池ホルダー部１８０内の開口部１８３ｄと対応する位置に配置される。図示しないが、電池ホルダー部１８０内の開口部１８３a、１８３ｂにも、接続端子が着脱自在に取り付けられる。チャンネル１４９は電池ホルダー部１８０内の開口部１８７と対応する位置に配置される。
【００３９】
基板１４０は、通常、緑色のソルダレジストが塗布され緑色に着色されている。一方、第２ケース１３０や電池ホルダー部１８０は白色であるため、電池ホルダー部１８０内の開口部１８３（１８３a、１８３ｂ、１８３ｃ、１８３ｄ）や係止孔１８６から、基板１４０の緑色が目立つ。そのため、本実施形態においては、電池ホルダー部１８０内の開口部１８３（１８３a、１８３ｂ、１８３ｃ、１８３ｄ）や係止孔１８６と対応する箇所は、電池ホルダー部１８０と同色（白色）の塗料で着色されている。
具体的には、電池ホルダー部１８０内の開口部１８３（１８３a、１８３ｂ）と対応する箇所１４１は、電池ホルダー部１８０と同色（白色）の塗料で着色されている。また、電池ホルダー部１８０内の開口部１８３（１８３ｃ、１８３ｄ）と対応する箇所１４２は、電池ホルダー部１８０と同色（白色）の塗料で着色されている。また、電池ホルダー部１８０内の係止孔１８６と対応する箇所１４３は、電池ホルダー部１８０と同色（白色）の塗料で着色されている。なお、図１３（Ａ）の箇所１４１、１４２、１４３は、基板１４０の他の部位と色が異なる領域であることが分かるようにハッチングを施している。
これにより、電池交換やチャンネル１４９の切り替えのために電池カバー１８１を外す際に、第２ケース１３０の電池ホルダー部１８０の開口部１８３や係止孔１８６から、基板１４０が目立たない構成となっている。
なお、同色に限らず、同系色に着色してもよい。ここで、同系色とは、同一色に限定されず、色相（色味）が同じで明度、彩度が異なるものも含む意味である。
【００４０】
また、チャンネル１４９は、電池ホルダー部１８０と同色（白色）の塗料で着色されているため、開口部１８７からチャンネル１４９が目立たない構成となっている。チャンネル１４９は、電池ホルダー部１８０内に収容されているため、誤ってチャンネルの切り替えが行われることが少ない。また、チャンネル１４９は、電池カバー１８１で保護されているため、スライド式のチャンネル１４９が折れにくい構成となっている。
【００４１】
（４）操作ボタン
操作ボタン１６０について、主に図１４、図１５を用いて説明する。
各操作ボタン１６０（１６０ａ〜１６０ｒ）は、１枚のゴムシート１６１上に一体成形されており、各操作ボタン（１６０ａ〜１６０ｒ）はゴム材料で構成されている。各操作ボタン１６０の裏面には、円形状の導電ゴム１６３がそれぞれ設けられ、導電ゴム１６３を介して、基板１４０上の各操作ボタン用端子１４６（図１２参照）と接触して導通するよう構成されている。
【００４２】
１６０ａ、１６０ｂ、１６０ｃはシーン選択ボタンを示し、１６０ａは「読書」、１６０ｂは「食事」、１６０ｃは「くつろぎ」の各シーンを選択することができ、シーンの合わせた明かりでシーリングライト３を点灯させる。「読書」シーンは、文字が読みやすく、昼白色相当の明るい光を再現し、「食事」シーンは、暖かな電球相当の明るい光を再現し、「くつろぎ」シーンは、明るさを抑えた暖かな電球相当の光を再現する。
１６０ｄは「メモリ点灯、常夜灯」ボタン、１６０ｅは「全灯」ボタン、１６０ｆは「消灯」ボタンを示す。「メモリ点灯、常夜灯」ボタン１６０ｄを押すたびに、点灯モードがメモリ点灯→常夜灯と切り替わる。「全灯」ボタン１６０ｅを押すと、１００％の明るさで点灯する。「消灯」ボタン１６０ｆを押すと、すべての明かりが消える。
１６０ｇは「おやすみ」モードボタン、１６０ｈは「節電」モードボタンを示す。節電モードは、設定時間後に消灯する機能であり、設定時間後に徐々に減光し、消し忘れの防止になる。このように各シーンを１回のボタン操作で得ることができる。
１６０ｉは「時間＋」ボタン、１６０ｊは「時間−」ボタンを示す。
１６０ｋは「おはよう」ボタン、１６０ｌは「るすばん」ボタン、１６０ｍは「決定」ボタンを示す。「おはよう」モードは、起床したい時間の１５分前から徐々に明るくする機能であり、ボタン１６０ｉ、１６０ｊにより設定時間を調整することができる。「るすばん」モードは、部屋に人がいなくともリモコンからの設定で自動点灯消灯するので、防犯対策になる。
１６０ｎは明るさを調整する「調光」ボタン、１６０ｏは白色、暖色の度合いを調整する「調色」ボタン、１６０ｐは「メモリ設定」ボタンを示す。「メモリ設定」ボタン１６０ｐを押すと、「調光」ボタン１６０ｎや「調色」ボタン１６０ｏで設定した明るさや色が記憶される。
１６０ｑは「時刻設定」ボタン、１６０ｒは「電気代表示」ボタンを示す。電気代表示モードは、累積の電気代を表示することで節電、省エネ意識を向上させる。
【００４３】
（５）液晶表示部
液晶表示部１５０について、主に図１６を用いて説明する。
液晶表示部１５０は、偏光フィルタ１５１、ガラス基盤１５２、配向膜１５３、液晶１５４、配向膜１５５、透明電極１５６、ガラス基盤１５７を備えた液晶ディスプレイ１５０ａの裏面に、蓄光シート１５８、反射板１５９が順次積層された構成である。
液晶表示部１５０の透明電極１５６は、図１２に示すコネクタ１９０を介して基板１４０の液晶接続端子１４５と接続している。
【００４４】
偏光フィルタ１５１は出入りする光をコントロールし、ガラス基盤１５２、１５７は電極部からの電気が他の部分に漏れないようにする。透明電極１５６は、液晶表示部１５０を駆動するための電極であり、表示の妨げにならないよう透明度の高い材料が使用される。配向膜１５３、１５５は液晶の分子を一定方向に並べるための膜である。
液晶１５４のタイプとしては、ＴＮタイプ、ＡＳＶタイプ、ＳＴＮタイプ、ＴＳＴＮタイプ等があげられるが、本実施形態ではＴＮタイプを使用している。
【００４５】
蓄光シート１５８は、太陽光、蛍光灯、ＬＥＤ等の光のエネルギーを吸収し、その蓄えたエネルギーを可視光線に変換することで光を放出する機能を有している。
蓄光シート１５８は、通常、ポリエチレンテレフタレート（ＰＥＴ）フィルム、ポリ塩化ビニルフィルム、アクリルフィルム等の基材に、蓄光剤を貼り合わせたものが使用される。蓄光剤としては、特に限定はないが、例えば、硫化亜鉛（ＺｎＳ）系、アルミン酸ストロンチウム（ＳｒＡｌ２Ｏ４）系等のものが、単独でもしくは併用して使用される。
本実施形態では、蓄光シート１５８の裏面に反射板１５９を配置することにより、暗所でバックライトなしでも簡易的に液晶表示が見えるようになり、安価で省エネ効果も得られる。カラー表示の液晶ディスプレイでは、液晶ディスプレイの背後から光を当て、画面を明るくするためバックライトが使用されるが、本実施形態の液晶ディスプレイ１５０ａは、モノクロ表示であるため、バックライトに代えて反射板１５９を使用し、自然光で見えるようにしている。反射板１５９としては、例えば、アルミシート等が用いられる。
【００４６】
（６）送信センサ部
送信センサ部１９１について、主に図８及び図１２を用いて説明する。
送信センサ部１９１（１９１ａ、１９１ｂ）は、赤外線センサを利用し、シーリングライト３に信号を送信するための送信センサを間隔をおいて２個有する。送信センサ部１９１（１９１ａ、１９１ｂ）は送信角が狭いため、送信センサ部１９１ａは表面方向、送信センサ部１９１ｂは上方向に向けて設置されている。
送信センサ部１９１ａは基板１４０の貫通孔を挿通している。送信センサ部１９１ａは基板１４０の裏面でリード線を介して実装されており、リード線は折り曲げられている。そのため、送信センサ部１９１ａの高さを薄くできる。また、送信センサ部１９１ｂは基板１４０の切欠きに設置されているため、基板１４０の先端からの張り出しを抑えることができる。
【００４７】
（７）受信センサ部
受信センサ部１９２について、主に図８及び図１２を用いて説明する。
受信センサ部１９２は、赤外線センサを利用し、シーリングライト３から送信される信号を受信するための受信センサを１個有する。送信信号で受信センサが反応しないように、受信センサ部１９２はカバーを有している。
送信センサ部１９１ａと受信センサ部１９２とは左右両側で離れているため、干渉しにくい。また、左右対称であるため意匠性に優れている。送信センサ部１９１ｂは、送信センサ部１９１ａと受信センサ部１９２との間で、上側方向に向けて設置されているため干渉しにくい。
【００４８】
＜変形例＞
以上、実施形態に係るリモコンを説明したが、この実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００４９】
１．ライト
ライトはシーリングライト３に限らず、他のタイプのライト、例えば、壁掛け式、ペンダント式、埋没式等であってもよい。
光源部はＬＥＤに限らず、蛍光灯、有機ＥＬ素子等により構成されていてもよい。
実施形態のシーリングライト３は調光及び調色可能に構成されていたが、例えば、調光のみ可能な構成であってもよいし、調色のみ可能な構成であってもよいし、また、光度及び光色が一定な構成であってもよい。
２．リモコン
リモコン５は乾電池式を例示したが、充電式の電池でも内蔵式の電池であってもよい。
３．液晶ディスプレイ
モノクロ表示の液晶ディスプレイを使用したが、カラー表示の液晶ディスプレイを使用することもできる。本実施形態では液晶ディスプレイの裏側に蓄光シート１５８を配置しているため、バックライトなしでもカラー表示の液晶ディスプレイを使用することができる。
４．蓄光シート
蓄光シート１５８を使用したが、シート形状に限定されるものではなく、太陽光、蛍光灯等の光のエネルギーを吸収し、その蓄えたエネルギーを可視光線に変換する事で光を放出する機能を有するものであれば、形状等は特に限定はない。
５．反射板
蓄光シート１５８の裏面に、反射層として反射板１５９を設置したが、反射板１５９は省略することも可能である。また、反射層は反射板に限定されるものではない。
【００５０】
６．受信センサ部、送信センサ部
リモコン５は、送信センサ部１９１と受信センサ部１９２の両方を備えているが、何れか一方のみを備えていてもよい。
また、送信センサ部１９１を２個備えているが、１個であってもよい。
【００５１】
７．センサ被覆部
センサ被覆部１１３は、円形状であるが、センサの全てを被覆できる領域を含む限り形状は限定されず、四角形状、三角形状等であってもよい。但し、外部から視認しにくくするため、センサ被覆部１１３はできる限り小さい方が好ましい。
送信センサ部１９１と受信センサ部１９２の両方の領域を被覆しているが、何れか一方のみの領域を被覆していてもよい。
【００５２】
８．基板を視認できる開口部
電池ホルダー部１８０内の開口部１８３（１８３a、１８３ｂ、１８３ｃ、１８３ｄ）や係止孔１８６と対応する基板１４０上の箇所１４１、１４２、１４３は、開口部１８３や係止孔１８６よりも大きな領域が着色されているが、開口部１８３や係止孔１８６と同じ大きさとすることも可能である。
【符号の説明】
【００５３】
１  照明装置
３  シーリングライト
５  リモコン
１１  ライト本体
１１０  パネル板（パネル部）
１１２  表示窓部
１１３（１１３ａ、１１３ｂ）  センサ被覆部
１４０  基板
１５０  液晶表示部
１５０ａ  液晶ディスプレイ
１５８  蓄光シート
１５９  反射板
１８３（１８３a、１８３ｂ、１８３ｃ、１８３ｄ）  開口部
１８５  係止爪部
１８６  係止孔
１９１（１９１ａ、１９１ｂ）  送信センサ部
１９２  受信センサ部
【図１】
2016219929.tif 000003
【図２】
2016219929.tif 000004
【図３】
2016219929.tif 000005
【図４】
2016219929.tif 000006
【図５】
2016219929.tif 000007
【図６】
2016219929.tif 000008
【図７】
2016219929.tif 000009
【図８】
2016219929.tif 000010
【図９】
2016219929.tif 000011
【図１０】
2016219929.tif 000012
【図１１】
2016219929.tif 000013
【図１２】
2016219929.tif 000014
【図１３】
2016219929.tif 000015
【図１４】
2016219929.tif 000016
【図１５】
2016219929.tif 000017
【図１６】
2016219929.tif 000018